(57)【要約】【課題】信号線のシールド効果を向上させ、ノイズ成分の影響を受けないようにする。【解決手段】光学ケース２１内に、受光素子１２を搭載した素子基板３１が配設され、前記素子基板３１には前記光学ケース２１の周壁２１ａの導入部を通る信号線３５が接続され、前記光学ケース２１の開口部が光学カバー３０により閉鎖されている火災感知器において、前記光学ケース２１及び前記光学カバー３０の外面は、導電性を有し、前記信号線３５は、信号線保持部４１により前記周壁２１ａの外面に接触している。【選択図】  図２
2010231614.tif 000002
【特許請求の範囲】
【請求項１】
光学ケース内に、受光素子を搭載した素子基板が配設され、前記素子基板には前記光学ケースの周壁の導入部を通る信号線が接続され、前記光学ケースの開口部が光学カバーにより閉鎖されている火災感知器において、
前記光学ケース及び前記光学カバーの外面は、導電性を有し、
前記信号線は、信号線保持部により周壁の外面に接触していることを特徴とする火災感知器。
【請求項２】
光学ケースと、前記光学ケース内に配設した受光素子と、前記受光素子の出力信号を増幅する受光増幅部と、増幅された前記出力信号をＡ／Ｄ変換した検出レベルが閾値以上で火災判別する火災判断部と、を備えた火災感知器において、
前記光学ケースは、その外面が導電性を有すると共に、前記受光素子が実装された素子基板に接続された信号線を前記外面に接触させる信号線保持部を設けたことを特徴とする火災感知器。
【請求項３】
内部が暗箱である光学ケースと、前記光学ケース内に気体を流入させて検煙部を構成する空気通路と、前記光学ケース内に配設した発光素子と、該発光素子から発光した光が前記検煙部に存在する煙粒子によって生じる散乱光を受光する受光素子と、前記受光素子の出力信号を増幅する受光増幅回路と、増幅された前記出力信号をＡ／Ｄ変換した検出レベルが閾値以上で火災判別する火災判断部と、を備えた火災感知器において、
前記光学ケースは、その外面が導電性を有すると共に、前記受光素子が実装された素子基板に接続された信号線を前記外面に接触させる信号線保持部を設けたことを特徴とする火災感知器。
【請求項４】
前記信号線保持部は、前記光学ケースに装着される光学カバーに設けられていることを特徴とする請求項１、２、又は、３記載の火災感知器。
【発明の詳細な説明】
【技術分野】
【０００１】
この発明は、炎感知器や煙感知器などの火災感知器に関するものである。
【背景技術】
【０００２】
家屋やビル等の火災監視区域には、煙感知器が配設されている。従来の煙感知器は、筐体（「光学ケース」ともいう）内に、発光素子を有する第１の素子基板と、受光素子を有する第２の素子基板と、が配置され、収容箱内に電源回路や電流制御回路やMPU等を有するメイン基板が配設されているが、前記第１及び第２の素子基板と前記メイン基板との間での信号送受、電源供給等の電気的接続は、信号線を介して行なわれている。前記第１及び第２の素子基板に接続された信号線は、筐体の周壁に設けられた円形状の穴を通って、前記周壁の外面に沿って伸び、前記メイン基板に接続されている（例えば、特許文献１、参照）。
【先行技術文献】
【特許文献】
【０００３】
【特許文献１】特開２００８−０８２７０８号公報
【発明の概要】
【発明が解決しようとする課題】
【０００４】
前記煙感知器では、前記信号線は筐体の周壁の穴から前記メイン基板まで、シールドされずに配線されている。そのため、筐体内に存在するノイズ成分が前記信号線の出力に悪影響を及ぼし、煙感知器が誤作動することがある。
【０００５】
この発明は、上記事情に鑑み、信号線のシールド効果を向上させ、ノイズ成分の影響を受けないようにすることを目的とする。
【課題を解決するための手段】
【０００６】
この発明は、光学ケース内に、受光素子を実装した素子基板が配設され、前記素子基板には、前記光学ケースの周壁の導入部を通る信号線が接続され、前記光学ケースの開口部が光学カバーにより閉鎖されている火災感知器において、前記光学ケース及び前記光学カバーの外面は、導電性を有し、前記信号線は、信号線保持部により周壁の外面に接触していることを特徴とする。
【０００７】
この発明は、光学ケースと、前記光学ケース内に配設した受光素子と、前記受光素子の出力信号を増幅する受光増幅部と、増幅された前記出力信号をＡ／Ｄ変換した検出レベルが閾値以上で火災判別する火災判断部と、を備えた火災感知器において、前記光学ケースは、その外面が導電性を有すると共に、前記受光素子が実装された素子基板に接続された信号線を前記外面に接触させる信号線保持部を設けたことを特徴とする。
【０００８】
この発明は、内部が暗箱である光学ケースと、前記光学ケース内に気体を流入させて検煙部を構成する空気通路と、前記光学ケース内に配設した発光素子と、該発光素子から発光した光が前記検煙部に存在する煙粒子によって生じる散乱光を受光する受光素子と、前記受光素子の出力信号を増幅する受光増幅回路と、増幅された前記出力信号をＡ／Ｄ変換した検出レベルが閾値以上で火災判別する火災判断部と、を備えた火災感知器において、
前記光学ケースは、その外面が導電性を有すると共に、前記受光素子が実装された素子基板に接続された信号線を前記外面に接触させる信号線保持部を設けたことを特徴とする。
【０００９】
この発明の前記信号線保持部は、前記光学ケースに装着される光学カバーに設けられていることを特徴とする。
【発明の効果】
【００１０】
この発明は、以上のように構成したので、信号線は確実にシールドされる。そのため、光学ケース内に存在するノイズ成分の影響を受けることがないので、従来例と異なり、ノイズ成分に起因する誤作動の発生を防止することができる。
【図面の簡単な説明】
【００１１】
【図１】本発明の第１実施形態を示す平面図で、煙感知器の概略を示す図である。
【図２】煙検出ユニットを示す斜視図である。
【図３】光学ケースの平面図である。
【図４】光学カバーの底面図である。
【図５】煙検出ユニットの側面図である。
【発明を実施するための形態】
【００１２】
本発明の第1実施形態の煙感知器を図１〜図５により説明する。
１は煙感知器、２１は内部が暗箱である煙検出ユニット２の光学ケース、３は該光学ケース２１の検煙部２５に配管４を介して検知対象となる空気を送るファン、５は前記配管４に設けられているフイルタ、をそれぞれ示している。
【００１３】
１１は、前記光学ケース２１内に配設された発光素子で、例えば、赤外線を発光する素子である。１２は、フォトダイオード等の受光素子であり、前記発光素子１１の光が前記検煙部２５に存在する煙粒子によって生じる散乱光を受光するものであり、前記発光素子１１の光が直接入射しない位置に配設されている。１４は、前記ファン３や空気の流量を測定するエアフローセンサ１３などに電源を供給する電源部、１５は火災判別部、をそれぞれ示している。
【００１４】
前記火災判別部１５は、前記受光素子１２の出力信号Ｓを増幅する増幅回路、増幅信号を検出レベルに変換するＡ／Ｄ変換器、検出レベルが予め設定された閾値以上になったとき火災と判別する比較回路、等を備えているが、統合的な制御は、ＣＰＵにより行われるようになっている。
【００１５】
煙検出ユニット２は、箱状の光学ケース２１を備え、該光学ケース２１の開口部は光学カバー３０により閉鎖されている。前記光学ケース２１の外面は、煙検出ユニット２への外部からの電磁波を遮るために導電処理（塗装や蒸着など）されているので、導電性を有しているが、前記導電処理をする代わりに、導電性樹脂により光学ケース２１を形成しても良い。前記光学ケース２１の内部は、例えば、艶消し黒色をなし、いわゆる暗箱となっている。２２は、前記光学ケース２１内に配設された迷光部であり、前記発光素子１１に対向する位置に配設されている。
【００１６】
２４は発光素子１１が発光した光を迷光部２２内に設けた光トラップ２３の曲面部に集光させる集光レンズ、２５は空気を通過させる検煙部、２６は適宜間隔に設けられるアパーチャ、をそれぞれ示している。
【００１７】
前記受光素子１２は、回路部品３２とともに素子基板３１に実装されている。この素子基板３１の左右の端部は、溝部３３に嵌着支持されている。この溝部３３は、光学ケース２１の周壁２１ａの内側に形成されて、且つ、上下方向に伸びている凹部であるので、前記素子基板３１を上下方向に往復移動させることにより、容易に光学ケース２１に着脱することが出来る。
【００１８】
前記素子基板３１には、信号線３５が接続されているが、この信号線３５は、例えば、帯状に形成されたフラットケーブルであり、前記素子基板３１等と制御基板（図示省略）との間での信号送受等を行うものである。この信号線３５は、スリット３７を通って前記光学ケース２１の外部に出てから、該光学ケース２１の周壁２１ａの外面に這うように伸びている。
【００１９】
前記スリット３７は、前記周壁２１ａに対して斜めに交差するように形成されているが、この様にすると、直交させる場合に比べ、信号線３５が曲げられて周壁２１ａの外面に這わせやすくなると共に、前記光学ケース２１内に外光が入りにくくなる。更に、信号線３５がスリット３７により軽く挟持されるので、光学ケース２１の外部から信号線３５が引張られても光学ケース２１の内部には伝わらない。又、前記スリット３７の開口部３７ａは、周壁２１ａの上端面２１ｆに連続しているが、この様にすると、信号線３５を上下方向に往復移動させるだけで、該信号線３５を該スリット３７に着脱することができる。従って、信号線３５を素子基板３１に接続した状態で、素子基板３７を光学ケース２１から取り外したり、装着したりすることが出来る。
【００２０】
前記光学ケース２１の素子基板３１とスリット３７との間にある信号線の収納部３９には、遮光壁４０が配設されている。この遮光壁４０は、光学ケース２１に固定された遮光壁４０ａと、光学カバー３０に固定された遮光壁４０ｂにより構成され、全体として信号線３５の経路から外光が素子基板３１まで到達しないように囲んで、該信号線３５の経路に沿って設けられている。
【００２１】
前記光学ケース２１の開口部には、光学カバー３０が被せられ、該光学カバー３０はねじ４２で前記光学ケース２１に固定されている。前記光学カバー３０の外面は、煙検出ユニット２への外部からの電磁波を遮るために、導電処理（塗装や蒸着など）されているので、導電性を有しているが、前記導電処理をする代わりに、導電性樹脂により光学カバー３０を形成しても良い。前記光学カバー３０の長辺縁部には、間隔を置いて複数の信号線保持部４１が設けられている。この保持部４１は、前記帯状の信号線３５を前記光学ケース２１の周壁２１ａに接触させて保持させる押圧支持部材であり、光学カバー３０の長辺縁部から垂下する板状片である。
【００２２】
この保持部４１の長さは、信号線３５の帯幅より長く形成され、例えば、スリット３７の長さ（深さ）とほぼ同一長さに形成されている。又、前記保持部４１の内面と周壁２１ａの外面との間隔は、信号線３５の厚さ（帯幅と直交方向の長さ）より僅かに小さく形成され、前記信号線３５を押圧支持できるようになっている。前記保持部４１の数、帯幅、長さ等は必要に応じて適宜選択される。なお、前記光学カバー３０と同様に、前記保持部４１にも導電性を持たせる様にしても良い。
【００２３】
なお、基板用の取付ボスは、全て接地機能を有し、前記ボス表面の蒸着と各基板裏面のランドで接地している。また、光学ケース２１と光学カバー３０に基板取付用ボスを設けることにより、各基板のグランドを経由して前記光学ケース２１と光学カバー３０を同電位にすることが出来る。よって、信号線３５と、光学ケース２１及び光学カバー３０の外面を近づけることにより、両者間に静電容量が生じて耐ノイズ性を高める。
【００２４】
本実施形態の作動について説明する。
前記光学ケース２１及び光学カバー３０の外面は、導電性を有しており、又、前記信号線３５は光学ケース２１の周壁２１ａに接触しているので、前記信号線３５はシールドされた状態となっている。従って、前記信号線３５は、前記光学ケース２１内に存在するノイズの影響を受けることがないので、火災判別部は正常な判別を行うことができる。そのため、火災感知器の誤差動を防止することができる。
【００２５】
この発明の第２実施形態について説明する（図示省略）。
本件発明は、煙感知器の他に、発光素子を備えていない火災感知器（炎感知器）にも適用することが出来る。
【００２６】
即ち、前記火災感知器は、箱状の光学ケースと、前記光学ケース内に配設した受光素子と、前記受光素子の出力信号を増幅する受光増幅部と、増幅された前記出力信号をＡ／Ｄ変換した検出レベルが閾値以上で火災判別する火災判断部と、前記光学ケースに装着される光学カバーと、を備えており、前記光学ケースは、その外面が導電性を有すると共に、前記受光素子が実装された素子基板に接続された信号線を前記外面に接触させる信号線保持部を設けている。
【００２７】
なお、前記光学カバー、光学ケース及び前記信号線保持部は、第１実施形態の光学カバー、光学ケース及び信号線保持部と同様である。
【符号の説明】
【００２８】
１      煙感知器
２      煙検出ユニット
１１    発光素子
１２    受光素子
２１    光学ケース
２１ａ  周壁
２１ｆ  上端面
３０    光学カバー
３１    素子基板
３３    溝部
３５    信号線
４１    信号線保持部
【図１】
2010231614.tif 000003
【図２】
2010231614.tif 000004
【図３】
2010231614.tif 000005
【図４】
2010231614.tif 000006
【図５】
2010231614.tif 000007